(57)【特許請求の範囲】
【請求項１】
電子機器の表示画面を保護するための電子機器用カバーガラスであって、
一対の主表面を有し、かつ、前記一対の主表面のうち一方の主表面側にフレーム部が設けられたガラス基板を備え、
前記フレーム部は、
底面部と、
前記フレーム部の外周縁部に位置し、かつ、前記底面部に対して板厚方向外側に突出する先端面と、
前記底面部と前記先端面との間に設けられ、かつ、前記板厚方向に対して傾斜する内壁面と、を有し、
前記底面部、前記内壁面、および、前記先端面は、利用者の操作を検出するためのセンサ基材が嵌まるための空間の境界を画定し、
前記フレーム部の突出高さは、前記センサ基材が前記フレーム部内に嵌まった状態で、前記先端面と前記センサ基材の表面とが同一平面をなすように、決められる、
ことを特徴とする電子機器用カバーガラス。
【請求項２】
前記フレーム部は、前記センサ基材の位置合わせのために前記センサ基材の外周形状に対応するように形成されている請求項１に記載の電子機器用カバーガラス。
【請求項３】
前記先端面と前記内壁面との間には、介在面が設けられており、
前記底面部、前記内壁面、前記介在面、および、前記内壁面は、前記空間の境界を画定する、請求項１または２に記載の電子機器用カバーガラス。
【請求項４】
前記介在面は、直線状である、請求項３に記載の電子機器用カバーガラス。
【請求項５】
前記介在面は、曲線状である、請求項３に記載の電子機器用カバーガラス。
【請求項６】
前記フレーム部は、前記ガラス基板と同一材料により形成され、前記ガラス基板と一体的に構成されている請求項１〜５の何れか１項に記載の電子機器用カバーガラス。  
【請求項７】
電子機器に設けられ、利用者の操作に応じた電気信号を生成するための電子機器用タッチセンサモジュールであって、
請求項１〜６の何れか１項に記載の電子機器用カバーガラスと、
前記フレーム部内に嵌まるように前記電子機器用カバーガラスに設けられた前記センサ基材と
を有することを特徴とする電子機器用タッチセンサモジュール。
【請求項８】
電子機器の内部構成部品の保護用に電子機器の外装の少なくとも一部に用いられる電子機器用カバーガラスであって、
一対の主表面を有し、前記一対の主表面のうち一方の主表面側にフレーム部が設けられたガラス基板を備え、
前記フレーム部は、
底面部と、
前記フレーム部の外周縁部に位置し、かつ、前記底面部に対して板厚方向外側に突出する先端面と、
前記底面部と前記先端面との間に設けられ、かつ、前記板厚方向に対して傾斜する内壁面と、を有し、
前記底面部、前記内壁面、および、前記先端面は、利用者の操作を検出するためのセンサ基材が嵌まるための空間の境界を画定し、
前記フレーム部の突出高さは、前記センサ基材が前記フレーム部内に嵌まった状態で、前記先端面と前記センサ基材の表面とが同一平面をなすように、決められる、
ことを特徴とする電子機器用カバーガラス。
【請求項９】
電子機器の表示画面を保護するための電子機器用カバーガラスの製造方法であって、
ガラス基板の一対の主表面のうち一方の主表面側に、フレーム部を形成することを含み、
前記フレーム部は、
底面部と、
前記フレーム部の外周縁部に位置し、かつ、前記底面部に対して板厚方向外側に突出する先端面と、
前記底面部と前記先端面との間に設けられ、かつ、前記板厚方向に対して傾斜する内壁面と、を有し、
前記底面部、前記内壁面、および、前記先端面は、利用者の操作を検出するためのセンサ基材が嵌まるための空間の境界を画定し、
前記フレーム部の突出高さは、前記センサ基材が前記フレーム部内に嵌まった状態で、前記先端面と前記センサ基材の表面とが同一平面をなすように、決められる、
ことを特徴とする電子機器用カバーガラスの製造方法。
【請求項１０】
前記ガラス基板の一方の主表面側からエッチング処理を施すことにより前記フレーム部を形成する、請求項９に記載の電子機器用カバーガラスの製造方法。
【請求項１１】
ダイレクトプレス法によってガラス基板の一対の主表面とともに前記フレーム部を形成する、請求項９に記載の電子機器用カバーガラスの製造方法。
【発明の詳細な説明】
【技術分野】
【０００１】
本発明は、例えば携帯電話機、ＰＤＡ(Personal Digital Assistant)、デジタルスティルカメラ、ビデオカメラ、またはスレートＰＣ(Personal Computer)等の携帯機器を含む電子機器の表示画面や回路基板等を保護するための電子機器用カバーガラス及びその製造方法、並びに電子機器用タッチセンサモジュールに関する。
【背景技術】
【０００２】
携帯機器を含む電子機器の表示画面や回路基板等の内部構成部品を保護することを主目的として、電子機器用カバーガラスが用いられている。近年、携帯機器の薄型化や高機能化の要請に加え、様々な形状の携帯機器の筐体及び表示画面に対応すべく、様々な電子機器用カバーガラスが作製されている。【０００３】
例えば、特許文献１には、静電容量方式のタッチパネルに用いられる電子機器用カバーガラスとしての携帯機器用カバーガラスが開示されている。この携帯機器用カバーガラスは、化学強化ガラス等から構成されており、携帯電話機やＰＤＡ等の入力機能付き電気光学装置の表示装置を保護するように設けられている。タッチパネルは、携帯機器用カバーガラスと、透明導電膜が形成された透明基板からなるセンサ基板とを有しており、利用者の操作に応じた電気信号を生成するための携帯機器用タッチセンサモジュールとして機能するように構成されている。また、センサ基板の上面には、入力位置検出用電極が形成されており、携帯機器用カバーガラスは、センサ基板上に接着剤を介して積層されている。
【先行技術文献】
【特許文献】
【０００４】
【特許文献１】特開２０１１−２１６０４２号公報
【発明の概要】
【発明が解決しようとする課題】
【０００５】
ところで、特許文献１に記載の携帯機器用カバーガラスは、センサ基板上に接着剤を介して積層されているので、タッチパネルの厚さは、携帯機器用カバーガラス及びセンサ基板のそれぞれの板厚が単に加えられることにより増大する。したがって、このタッチパネルを用いた場合、携帯機器の薄型化を図ることが困難になるおそれがある。【０００６】
そこで、電子機器用カバーガラス及びセンサ基板の板厚をそれぞれ小さくしてタッチパネルの厚さを小さくすることにより、携帯機器の薄型化を図ることが考えられる。しかしながら、この場合には、板厚を小さくしたことによって電子機器用カバーガラスの強度が低下するため、表示装置を保護するという電子機器用カバーガラスの機能を果たすことができないおそれがある。
したがって、電子機器用カバーガラスをセンサ基板上に積層した場合、電子機器の薄型化を十分に図ることが困難であった。【０００７】
また、特許文献１に記載の技術では、入力位置検出用電極とフレキシブル配線基板とを電気的に接続するための配線がセンサ基板に設けられている。この配線を外部から遮蔽するために、携帯機器用カバーガラスの主表面の周縁には、遮光性を有する遮光部が設けられている。遮光部が設けられることによって、携帯機器用カバーガラスは、主表面の面積がセンサ基板の主表面の面積より大きくなるように形成されている。【０００８】
ここで、電子機器用カバーガラスをセンサ基板上に積層することにより構成されたタッチパネルは、主表面の面積の相違によって凸形状に形成される。この場合、センサ基板の外周には空隙が形成される。この空隙は、タッチパネルを表示装置と組み合わせる場合に構造設計が困難になる等の影響がある。【０００９】
上記の空隙の影響を回避するためには、例えば、接着剤等で構成された接着層をセンサ基板の外周に設けることによって空隙を埋める必要がある。しかしながら、接着層等を設けた場合には、部品点数及び製造工程が増加するため、タッチパネルの製造コストが嵩み、ひいては携帯機器を含む電子機器の製造コストが嵩む。したがって、電子機器用カバーガラスをセンサ基板上に積層した場合、携帯機器の製造コストが嵩むという問題も生じていた。【００１０】
そこで、本発明は、電子機器の薄型化を図るとともに、表示装置と組み合わせる際の構造設計を容易にし、さらには電子機器の製造コストを低減することができる電子機器用カバーガラス及びその製造方法、並びに電子機器用タッチセンサモジュールを提供することを目的とする。
【課題を解決するための手段】
【００１１】
本発明の態様は、携帯機器の表示画面を保護するための携帯機器用カバーガラスである。
前記携帯機器用カバーガラスは、
板厚方向に対向する一対の主表面を有し、前記一対の主表面のうち一方の主表面には、透明導電膜が形成された透明基板と嵌合するための凹部が形成されたガラス基板を有している。【００１２】
上記携帯機器用カバーガラスにおいて、前記凹部の側面部は、前記一方の主表面から前記凹部の底面部に向かって前記底面部の中央部方向に傾斜するように形成されている、ことが好ましい。【００１３】
上記携帯機器用カバーガラスにおいて、前記一方の主表面と前記凹部の側面部との間には、介在面が設けられている、ことが好ましい。【００１４】
上記携帯機器用カバーガラスにおいて、前記凹部は、前記透明基板が前記凹部と嵌合したとき、前記透明基板の表面であって、前記ガラス基板とは反対の表面が、前記一方の主表面と同一平面をなすように形成されている、ことが好ましい。【００１５】
また、上記携帯機器用カバーガラスにおいて、光を遮蔽するための遮蔽部を前記一方の主表面に備え、前記凹部は、前記透明基板が前記凹部と嵌合したとき、前記透明基板の表面であって、前記ガラス基板とは反対の表面が、前記遮蔽部の表面であって、前記ガラス基板とは反対の表面と同一平面をなすように形成されている、ことが好ましい。【００１６】
本発明の他の態様は、携帯機器に設けられ、利用者の操作に応じた電気信号を生成するための携帯機器用タッチセンサモジュールである。
前記携帯機器用タッチセンサモジュールは、
上述した携帯機器用カバーガラスと、
前記透明基板と、を有し、
前記透明基板は前記凹部に嵌合され、
前記透明導電膜は、前記ガラス基板の前記一対の主表面のうち他方の主表面に対する利用者の操作に応じた電気信号を生成するための透明電極として用いられる。【００１７】
本発明の他の態様は、携帯機器の表示部を保護するための携帯機器用カバーガラスの製造方法である。
前記製造方法は、
板厚方向に対向する一対の主表面を有するガラス基板に、透明導電膜が形成された透明基板と嵌合するための凹部を形成する工程であって、前記一対の主表面のうち一方の主表面に前記凹部を形成する工程を有している。【００１８】
上記携帯機器用カバーガラスの製造方法において、前記凹部を形成する工程では、前記凹部をエッチングによって形成する、ことが好ましい。【００１９】
本発明の他の態様は、電子機器の表示画面を保護するための携帯機器用カバーガラスである。
前記電子機器用カバーガラスは、
電子機器の表示画面を保護するための電子機器用カバーガラスであって、
一対の主表面を有し、前記一対の主表面のうち一方の主表面側には、板厚方向外側に突出し、利用者の操作を検出するためのセンサ基材が嵌まるための空間を形成するフレーム部が設けられたガラス基板を有する。【００２０】
本発明の他の態様は、電子機器用タッチセンサモジュールである。
前記電子機器用タッチセンサモジュールは、
電子機器に設けられ、利用者の操作に応じた電気信号を生成するための電子機器用タッチセンサモジュールであって、
上述の電子機器用カバーガラスと、
前記フレーム部内に嵌まるように前記電子機器用カバーガラスに設けられた前記センサ基材と
を有する。【００２１】
本発明の他の態様は、電子機器の内部構成部品の保護用に電子機器の外装の少なくとも一部に用いられる電子機器用カバーガラスである。
前記電子機器用カバーガラスは、
一対の主表面を有し、前記一対の主表面のうち一方の主表面側には、板厚方向外側に突出し、前記内部構成部品の少なくとも一部が嵌まるための空間を形成するフレーム部が設けられたガラス基板を有する。【００２２】
本発明の他の態様は、電子機器の表示画面を保護するための電子機器用カバーガラスの製造方法である。
前記電子機器用カバーガラスの製造方法は、
ガラス基板の一対の主表面のうち一方の主表面側に、板厚方向外側に突出し、利用者の操作を検出するためのセンサ基材が嵌まるための空間を形成するフレーム部を形成する。
【発明の効果】
【００２３】
本発明によれば、携帯機器の薄型化を図るとともに、表示装置と組み合わせる際の構造設計を容易にし、さらには携帯機器の製造コストを低減することができる。
【図面の簡単な説明】
【００２４】
【図１】本実施形態の携帯機器用カバーガラスの斜視図。
【図２】携帯機器用カバーガラスの平面図。
【図３】携帯機器用カバーガラスの底面図。
【図４Ａ】携帯機器用カバーガラスの要部拡大断面図。
【図４Ｂ】図４Ａに示した携帯機器用カバーガラスの変形例を示す要部拡大断面図。
【図４Ｃ】図４Ａに示した携帯機器用カバーガラスの変形例を示す要部拡大断面図。
【図５Ａ】携帯機器用タッチセンサモジュールの断面図。
【図５Ｂ】携帯機器用タッチセンサモジュールの断面図。
【図６Ａ】携帯機器用タッチセンサモジュールの断面図。
【図６Ｂ】図６Ａに示した携帯機器用タッチセンサモジュールの変形例を示す断面図。
【図７】図６Ａに示した携帯機器用タッチセンサモジュールの変形例を示す断面図。
【図８】携帯機器用タッチセンサモジュールの変形例を示す断面図。
【図９】ガラス基板にエッチングを利用して溝を形成する工程を順に示す断面図。
【図１０Ａ】実施形態の携帯機器用タッチセンサモジュールを含む表示装置の概略構成を説明する図。
【図１０Ｂ】周知技術の携帯機器用タッチセンサモジュールを含む表示装置の概略構成を説明する図。
【発明を実施するための形態】
【００２５】
（１）本実施形態の携帯機器用カバーガラス
本実施形態の携帯機器用カバーガラス（以下、カバーガラスという）の構成について図１〜図３、及び図４Ａ〜図４Ｃを参照して説明する。図１は本実施形態のカバーガラスの斜視図、図２はカバーガラスの平面図、図３はカバーガラスの底面図、図４Ａは携帯機器用カバーガラスの要部拡大断面図（図２のＩＶ−ＩＶ線に沿う断面図）、図４Ｂ，図４Ｃは図４Ａに示した携帯機器用カバーガラスの変形例を示す要部拡大断面図である。
【００２６】
本実施形態のカバーガラスは、例えば、表示画面に対する操作入力（タッチパネル機能としての操作入力）が可能な携帯型電子機器、特に携帯電話機、ＰＤＡ、デジタルスティルカメラ、ビデオカメラ、またはスレートＰＣ等の携帯機器の表示画面や回路基板等を保護するために用いられる。このため、本実施形態のカバーガラスは、落下あるいは表示画面への操作入力に対する仕様を満足させるべく、薄く且つ高い強度を有するガラスである必要があることから、イオン交換処理による化学強化がなされている。
【００２７】
図１〜図３、及び図４Ａ〜図４Ｃに示すように、本実施形態のカバーガラス１０は板状に形成されており、カバーガラス１０を構成するガラス基板１１の主表面は、例えば、長手方向の寸法が８〜１６ｃｍ、短手方向の寸法が４〜８ｃｍの略矩形状に形成されている。なお、ガラス基板１１の主表面の形状は、略矩形状あるいは矩形状に限られず、各種携帯機器の形状や構造等に応じて適宜変更してもよい。また、カバーガラス１０には、携帯機器に設けられたスピーカからの音声出力、又はマイクへの音声入力等のために、カバーガラス１０の板厚方向に貫通する孔が設けられてもよい。
【００２８】
ガラス基板１１の板厚Ｔは特に限定されないが、カバーガラス１０を利用する各種携帯機器の重量増大の抑制や、携帯機器の薄型化の観点から、通常は、１ｍｍ以下であることが好ましく、０．７ｍｍ以下であることがより好ましい。なお、板厚Ｔの下限値は、カバーガラス１０の機械的強度を確保する観点から、０．２ｍｍ以上とすることが好ましい。
【００２９】
ガラス基板１１は、携帯機器の表示画面に取り付け可能に形成されている。また、ガラス基板１１は、携帯機器の表示画面に取り付けられたときに携帯機器の外側に面する第１主表面１１ａと、携帯機器の表示画面に取り付けられたときに携帯機器の表示画面に面する第２主表面１１ｂとを有している。各主表面１１ａ，１１ｂはガラス基板１１の板厚方向（図４Ａ〜図４Ｃにおいて上下方向）に対向している。また、ガラス基板１１の第２主表面１１ｂには、後述するタッチセンサ２０と嵌合するための凹部１２が形成されている。
【００３０】
凹部１２の形状は、第２主表面１１ｂから第１主表面１１ａに向かって窪む形状である。また、凹部１２は、側面部１２ａと底面部１２ｂとを有している。側面部１２ａは、第２主表面１１ｂと底面部１２ｂとの間に設けられている。また、側面部１２ａは、ガラス基板１１の板厚方向に沿って配置されている。底面部１２ｂは、第２主表面１１ｂと平行な平面をなすように形成されている。凹部１２は、ガラス基板１１の外周端面から、第２主表面１１ｂの面方向内側に向かって間隔（好ましくは２ｍｍ以上の間隔）をおいて配置されている。即ち、第２主表面１１ｂには、外周縁部と凹部１２とが形成されている。
【００３１】
なお、凹部１２の寸法について、好適な範囲としては、次の通りである。凹部１２における開口面（第２主表面１１ｂと同一平面をなす部分）の大きさは、長手方向２４〜１５４ｍｍ、短手方向９〜７４ｍｍである。また、凹部１２における底面部１２ｂの大きさは、長手方向２４〜１５４ｍｍ、短手方向９〜７４ｍｍである。さらに、凹部１２の深さは、０．１〜０．３ｍｍである。
【００３２】
ここで、ガラス基板１１の断面をみたとき、図４Ａ〜図４Ｃに示すように、側面部１２ａは、第２主表面１１ｂから底面部１２ｂに向かって、板厚方向に対して傾斜（例えば、底面部１２ｂの中央部方向に傾斜）するように形成されていることが好ましい。すなわち、ガラス基板１１の断面をみたとき、側面部１２ａと底面部１２ｂとの延長面同士のなす角が鈍角であることが好ましい。具体的に説明すると、例えば、側面部１２ａと底面部１２ｂとの延長面同士のなす角が鋭角や直角である場合には、後述する遮蔽部１３や接着剤１４を凹部１２に積層する際に、側面部１２ａ及び底面部１２ｂ間の境界と、遮蔽部１３や接着剤１４との間に空隙が生じ易くなる。この場合、外部からの入射光が空隙内の空気によって反射されることにより、携帯機器の表示画面が見難くなる等の問題が生じる。そこで、側面部１２ａ及び底面部１２ｂを上記のように構成することにより、空隙が形成されるのを防ぐことができる。
【００３３】
また、図４Ａ，図４Ｂに示すように、第２主表面１１ｂと側面部１２ａとの間には、介在面１２ｃが設けられていることが好ましい。介在面１２ｃは、第２主表面１１ｂと側面部１２ａとの間の境界を面取りすることにより形成されてもよい。介在面１２ｃは、ガラス基板１１の断面（図２のＩＶ-ＩＶ線に沿う断面）をみたとき、図４Ａに示すように直線状に形成されてもよいし、図４Ｂに示すように曲線状に形成されてもよい。介在面１２ｃが設けられていることにより、ガラス基板１１の表面が、第２主表面１１ｂから側面部１２ａに亘って滑らかに傾斜する。このため、タッチセンサ２０を凹部１２に容易に嵌合させることができる。
【００３４】
なお、図４Ｃに示すように、ガラス基板１１には、遮蔽部（塗装部）１３が設けられてもよい。遮蔽部１３は、第２主表面１１ｂ、側面部１２ａ及び底面部１２ｂの周縁部のそれぞれに積層して設けられており、第１主表面１１ａからガラス基板１１の板厚方向に入射された光を遮蔽する。遮蔽部１３の厚さは、携帯機器の薄型化の観点から、３〜５０μｍであることが好ましい。
【００３５】
遮蔽部１３は、後述する印刷工程において塗料を多層に積層することにより形成されると好ましい。塗料を多層に積層してなる印刷層の印刷内容は問わないが、多層構造を有する印刷層を形成する場合の代表的な例（第１層がネガ印刷の例）を挙げると、第１層は外周の額縁部分を印刷する層で、当該第１層には機器のモデル、社名のロゴ、各種センサーホールなどが抜き形状となっている。
【００３６】
第２層は社名のロゴやモデル名を指定の色で印刷する層、第３層はロゴやモデル名の印刷部の遮光性ならびに額縁印刷部分のピンホールを消すための裏打ち層、第４層にも裏打ち層、第５層は明度センサーホール部分に印刷する透過率調整用のフィルターインク、第６層は筐体に接着する、あるいは後述するセンサ用ガラス基板２１を取り付ける際の位置合わせ用ガイドラインといった構成がある。
【００３７】
本実施形態のガラス基板１１の各主表面１１ａ，１１ｂのそれぞれには、後述する化学強化によって所定厚さの圧縮応力層が形成されている。この圧縮応力層は、ガラス基板１１を構成するガラス材料に元々含まれるアルカリ金属の一部を、よりイオン半径の大きなアルカリ金属に置換した変質層である。例えば、本実施形態のガラス基板１１を構成するガラス材料に含まれるナトリウムイオンがカリウムイオンに置換される。
【００３８】
また、本実施形態のガラス基板１１は、例えば、アルミノシリケートガラス、ソーダライムガラス、ボロシリケートガラス等で構成されていることが好ましい。中でも、ガラス基板１１は、ＳｉＯ２とＡｌ２Ｏ３と、Ｌｉ２ＯおよびＮａ２Ｏから選択される少なくとも１種のアルカリ金属酸化物と、を含むアルミノシリケートガラスで構成されていることが好ましい。
【００３９】
（２）実施形態の電子機器用タッチセンサモジュールとしての携帯機器用タッチセンサモジュール
次に、本実施形態の電子機器用タッチセンサモジュールとしての携帯機器用タッチセンサモジュール３０（以下、モジュール３０という）の構成について図５Ａ及び図５Ｂを参照して説明する。図５Ａ，図５Ｂはそれぞれ本実施形態のモジュールの断面図である。
本実施形態のモジュール３０は、静電容量結合方式のタッチパネルとして機能し、例えば、ガラス基板１１の第１主表面１１ａが押圧されることにより変化した容量変化を、抵抗値、電圧、電流等の変化により検出するようになっている。また、本実施形態のモジュール３０は、カバーガラス１０と、タッチセンサ２０とを有している。
【００４０】
タッチセンサ２０は、センサ基材としてのセンサ用ガラス基板２１と、透明導電膜２２とを有し、カバーガラス１０と携帯機器の表示画面との間に介在して、携帯機器の表示画面に対する操作入力を検出するように構成されている。センサ用ガラス基板２１は、携帯機器の表示画面に取り付け可能な板状に形成されており、センサ用ガラス基板２１の主表面は、例えば、長手方向の寸法が２〜１５ｃｍ、短手方向の寸法が０．５〜７ｃｍの略矩形状に形成されている。ここでは、センサ基材の一例としてセンサ用ガラス基板２１を用いて説明するが、センサ基材としては、例えばフィルムや、アクリル板等であってもよい。
【００４１】
センサ用ガラス基板２１は、携帯機器の表示画面に取り付けられたときに携帯機器の外側に面する第１主表面２１ａと、携帯機器の表示画面に取り付けられたときに携帯機器の表示画面に面する第２主表面２１ｂとを有している。各主表面２１ａ，２１ｂはセンサ用ガラス基板２１の板厚方向（図５Ａ及び図５Ｂにおいて上下方向）に対向している。また、センサ用ガラス基板２１の板厚Ｔ１は、携帯機器の薄型化の観点から、０．５ｍｍ以下であることが好ましく、０．４ｍｍ以下であることがより好ましい。なお、センサ用ガラス基板２１は、透明基板の一例である。
【００４２】
透明導電膜２２は、カバーガラス１０の第１主表面１１ａに対する利用者の操作に応じた電気信号を生成するための透明電極として用いられる。透明導電膜２２は、第１主表面２１ａ上に設けられ、第１主表面２１ａに対して平行な平面をなすように形成されている。ここで、第１主表面２１ａに対して平行な平面をなすようにとは、透明導電膜２２が、その内部で断線が生じない程度の屈曲部分を含む構成を有していることをいう。
【００４３】
また、透明導電膜２２は、センサ用ガラス基板２１の第１主表面２１ａに沿って所定の厚みをもって配置されている。ここで、所定の厚みとは、例えば、透明導電膜２２がスパッタ法により成膜される場合には１００ｎｍ以下であり、透明導電膜２２が印刷法により成膜される場合には、透明樹脂を含めて１０００ｎｍ以下である。
【００４４】
さらに、透明導電膜２２は、カバーガラス１０が携帯機器の表示画面に取り付けられたときに、ガラス基板１１の第１主表面１１ａに対する携帯機器の利用者の操作（例えば、携帯機器の利用者が指等で第１主表面１１ａを押圧する等）に応じた電気信号を生成する。透明導電膜２２は、生成した電気信号を、例えば、ＦＰＣ（フレキシブルプリント基板）に電気的に接続するためのランドあるいは信号配線用の金属パターン等の接続部（図示省略）に出力する。
【００４５】
透明導電膜２２には、例えば、複数の透明電極をなすように、格子状等の間隙が形成された任意のパターンが形成されていてもよい。また、透明導電膜２２は、センサ用ガラス基板２１の板厚方向に多層に配置されてもよい。
【００４６】
透明導電膜２２から出力された電気信号は、接続部を介して位置検出回路（図示省略）に送信される。位置検出回路は、ガラス基板１１の第１主表面１１ａが押圧されることにより変化した抵抗値、電圧、電流等に基づき、押圧位置を検出する。
【００４７】
以上のように構成されたタッチセンサ２０は、図５Ａに示すように、ガラス基板１１の凹部１２に対してガラス基板１１の板厚方向に嵌合する。この場合、図５Ｂに示すように、センサ用ガラス基板２１の第１主表面２１ａは、凹部１２の底面部１２ｂに面するように配置され、センサ用ガラス基板２１の第２主表面２１ｂは、第２主表面１１ｂと同じ方向（図５Ｂにおいて下方）に面するように配置される。また、タッチセンサ２０と凹部１２との間には、例えばゲル状の接着剤１４が介在してもよい。
【００４８】
ここで、本実施形態のカバーガラス１０には、タッチセンサ２０と嵌合する凹部１２が形成されているので、本実施形態のモジュール３０の厚さＴ２は、例えば、カバーガラス１０をタッチセンサ２０上に積層したときのモジュールの厚さ（Ｔ＋Ｔ１）よりも小さい。したがって、本実施形態のカバーガラス１０を用いることにより、モジュール３０の厚さが増大するのを抑制することができる。
【００４９】
また、センサ用ガラス基板２１のうち、タッチセンサ２０が凹部１２に嵌合したときにガラス基板１１の第２主表面１１ｂから外部に突出する部分の外周に形成される空隙Ｓのサイズは、例えば、カバーガラス１０をタッチセンサ２０上に積層した場合にセンサ用ガラス基板２１の外周に形成される空隙のサイズよりも小さい。したがって、モジュール３０を携帯機器の表示装置と組み合わせる場合に構造設計が困難になる等の影響を低減することができる。
【００５０】
さらに、センサ用ガラス基板２１の外周に形成される空隙のサイズを小さくできることにより、空隙を埋めるための接着剤等をセンサ用ガラス基板２１の外周に設ける必要をほぼなくすことができる。これにより、部品点数及び製造工程の増加を抑制することができ、モジュール３０の製造コストを低減することができる。
【００５１】
なお、凹部１２は、図６Ａに示すように、センサ用ガラス基板２１が凹部１２と嵌合したとき、センサ用ガラス基板２１の第２主表面２１ｂ（ガラス基板１１に面する第１主表面２１ａとは反対の表面）が、ガラス基板１１の第２主表面１１ｂと同一平面をなすように形成されている、ことが好ましい。例えば、接着剤１４を用いない場合には、凹部１２の深さを、センサ用ガラス基板２１の板厚と同じサイズに形成してもよい。これにより、センサ用ガラス基板２１の外周に形成される空隙のサイズを極めて小さくすることができる。ここで、同一平面をなすとは、ガラス基板１１の板厚方向におけるガラス基板１１の第２主表面１１ｂとセンサ用ガラス基板２１の第２主表面２１ｂとの各平面間の段差が２００μｍ以下に形成されていることをいう。この段差は、ガラス基板１１の第２主表面１１ｂが、センサ用ガラス基板２１の第２主表面２１ｂよりもガラス基板１１の板厚方向に突出することで形成されてもよいし、センサ用ガラス基板２１の第２主表面２１ｂが、ガラス基板１１の第２主表面１１ｂよりもガラス基板１１の板厚方向に突出することで形成されてもよい。なお、各平面間の段差は、１００μｍ以下に形成されていることがより好ましい。
【００５２】
また、ガラス基板１１の第２主表面１１ｂに遮蔽部１３を設けた場合には、凹部１２は、図６Ｂに示すように、センサ用ガラス基板２１が凹部１２と嵌合したとき、センサ用ガラス基板２１の第２主表面２１ｂが、遮蔽部１３の表面であって、ガラス基板１１とは反対の表面（図６Ｂにおいて下方の表面）である遮蔽部表面１３ａと同一平面をなすように形成されていることが好ましい。この場合においても、センサ用ガラス基板２１の外周に形成される空隙のサイズを極めて小さくすることができる。
【００５３】
なお、遮蔽部１３は、図７に示すように、ガラス基板１１の第１主表面１１ａ側に設けられてもよい。この場合、遮蔽部１３は、第１主表面１１ａの周縁部上に接着剤１４を介して設けられる。また、遮蔽部１３及び接着剤１４の上面に、例えば、ポリエステルを積層してなる飛散防止フィルム（ＡＳＦ：anti-scattering film）等のフィルム１５を設けてもよい。
【００５４】
ここで、これまでに説明したカバーガラス及びタッチセンサモジュールについては、前述と同様の図１〜７に基づき、それぞれ次のような構成のカバーガラス及びタッチセンサモジュールとしても表現することができる。
図１〜３及び図４Ａ〜図４Ｃにおいて、ガラス基板１１は、一対の主表面１１ａ，１２ｂを有している。ガラス基板１１の主表面１２ｂ側には、主表面１２ｂに対して板厚方向外側に突出し、利用者の操作を検出するためのセンサ基材が嵌まるための平面視四角形状の空間を形成するフレーム部１１ｃが設けられている。フレーム部１１ｃは、ガラス基板１１と同一材料により形成され、ガラス基板１１と一体的に構成されている。フレーム部１１ｃは、先端面１１ｂと、板厚方向に対して傾斜するように形成された内壁面１２ａと、先端面１１ｂ及び内壁面１２ａ間に介在する介在面１２ｃとを有している。このようなフレーム部１１ｃが設けられたガラス基板１１を有するカバーガラスは、センサ基板２１の一方の主表面と外周の側壁面とを保護する構成である。
【００５５】
ここで、フレーム部１１ｃは、図８に示すように、センサ用基板２１の位置決め用としてセンサ用基板２１の外周形状に対応するように形成されていてもよい。つまり、フレーム部１１ｃの内壁面１２ａが、フレーム部１１ｃに設けられるセンサ用基板２１の外周面を囲むように形成されている。なお、図８に示す構成の場合、フレーム部１１ｃの内壁面１２ａが、センサ用基板２１の外周面の少なくとも一部と接していてもよい。このような構成の場合、センサ用基板２１をガラス基板１１のフレーム部１１ｃ内に嵌める際のセンサ用基板２１の位置合わせを容易に行うことができ、センサモジュールの製造効率を向上させることができる。
【００５６】
また、図６Ａに示すように、センサ用ガラス基板２１がフレーム部１１ｃ内に嵌まった状態で、フレーム部１１ｃの先端面１１ｂとセンサ用ガラス基板２１の表面とが同一平面をなすように、フレーム部１１ｃの突出高さが決められている。さらに、図６Ｂに示すように、フレーム部１１ｃの先端面１１ｂに遮蔽部１３が形成されている場合にあっては、センサ用ガラス基板２１がフレーム部１１ｃ内に嵌まった状態で、遮蔽部表面１３ａとセンサ用ガラス基板２１の表面とが同一平面をなすように、フレーム部１１ｃの突出高さが決められている。
【００５７】
（３）実施形態のカバーガラスの製造方法
次に、本実施形態のカバーガラス１０の製造方法を説明する。本実施形態のカバーガラス１０の製造方法は、板状ガラス作製工程と、形状加工工程と、化学強化工程と、印刷工程と、を有する。
（３−１）板状ガラス作製工程
板状ガラス作製工程は、溶融ガラスから板状ガラスを作製する工程であり、例えばフロート法を採ることができる。フロート法は、溶融炉で溶融された溶融ガラスを、溶融錫が貯溜されたフロートバスに供給し、その溶融ガラスをフロートバスの溶融錫上で水平方向に引き出して成形する方法である。フロート法によれば、溶融ガラスをフロートバスの溶融錫上に浮かせることにより、溶融ガラスが自然に広がって安定した厚みになるとともに、この溶融ガラスを水平方向に引き出すことにより、帯状のガラスリボンが成形される。
そして、ガラスリボンは、フロートバスの下流側に設けられた徐冷炉に搬送されて徐冷された後に、所望の大きさの板状ガラスが得られるように切断される。
【００５８】
なお、板状ガラスを作製する方法として、フロート法の他にダウンドロー法やプレス法等を用いてもよいが、表面精度の良好な板状ガラスが得られる点及び板状ガラスの大量生産に適している点から、フロート法を用いることが好ましい。
【００５９】
（３−２）形状加工工程
次に形状加工工程を行う。形状加工工程は、板状ガラス作製工程で得られた板状ガラスを、カバーガラスの外形に応じた所望の形状のガラス基板に加工する工程である。以下、形状加工工程として、エッチングを利用した方法について説明する。エッチングを利用した形状加工工程は、以下の（ａ−１）耐エッチング膜形成工程、（ａ−２）パターニング工程、（ａ−３）切断工程、を含む。形状加工工程においてエッチングを利用することにより、形状加工工程において機械加工による切断法を用いた場合と比較して、カバーガラスの切断面における微小な傷やクラック等の発生を抑制できることから、この傷やクラック等に起因してカバーガラスの強度が低下することを防ぐことができる。
【００６０】
（ａ−１）耐エッチング膜形成工程
耐エッチング膜形成工程では、板状ガラスの少なくとも一方の面上に、耐エッチング膜を形成する。この耐エッチング膜は、通常、板状ガラスの両面に形成されるが、後の切断工程において、片面のみをエッチング溶液に接触させる場合には、当該片面にのみ耐エッチング膜が形成されていればよい。なお、以下の説明においては、耐エッチング膜が、板状ガラスの両面に形成されることを前提として説明する。
【００６１】
耐エッチング膜としては、後のパターニング工程において、パターニング処理により部分的に除去可能であり、かつ、切断工程において用いるエッチング溶液に対しては溶解・除去されない性質を有するものであれば、適宜選択できる。このような耐エッチング膜としては、少なくとも弗酸水溶液に対して難溶性または不溶性を示すレジスト膜を用いることが好ましい。この場合、パターニング工程においては、レジスト膜を、フォトマスクを用いた露光処理と現像液による現像処理とによってパターニング処理し、切断工程においてエッチング溶液を利用して切断を行うことができる。
【００６２】
（ａ−２）パターニング工程
パターニング工程では、少なくとも耐エッチング膜を、パターニングする。これにより、板状ガラスの表面全面を覆う耐エッチング膜のうち、最終的に作製されるガラス基板１１の平面方向の形状に対応する領域以外の耐エッチング膜を除去する。耐エッチング膜のパターニング方法としては、代表的には、上述した露光・現像を組み合わせて実施するフォトリソグラフィが利用できる。なお、パターニング工程は、両面に耐エッチング膜が形成された板状ガラスの少なくとも片面に対して実施すればよく、両面に対して実施してもよい。
【００６３】
（ａ−３）切断工程
切断工程では、板状ガラスの、パターニングされた耐エッチング膜が設けられた面を、エッチング溶液に接触させてエッチングすることで、板状ガラスを小片に切断する。エッチング処理は、通常、板状ガラスをエッチング溶液に浸漬させて行う。エッチング溶液としては、少なくとも弗酸を含むものであれば特に限定されないが、必要に応じて、塩酸等のその他の酸や、界面活性剤等の各種の添加剤が添加されていてもよい。
このようにして、所望の形状のガラス基板１１が得られる。
【００６４】
次に、ガラス基板１１に対し、エッチングを利用して凹部１２を形成する方法について説明する。図９は、ガラス基板１１に対し、エッチングを利用して凹部１２を形成する工程を順に示す断面図である。
まず、ガラス基板１１の第２主表面１１ｂにレジスト（感光性有機材料）層１６を塗布形成し（図９のステップＳ１参照）、所定の露光、現像を行って、第２主表面１１ｂに凹部１２のパターン１６ａを有するレジストパターン（つまり凹部１２を形成する領域のレジスト層が除去されている）を形成する（図９のステップＳ２参照）。
【００６５】
そして、このレジストパターンをマスクとして、ガラス素材を溶解可能なエッチング液（例えばフッ酸を含有する酸性溶液など）を用いてウェットエッチングすることにより、第２主表面１１ｂに凹部１２が形成される（図９のステップＳ３参照）。上記フッ酸を含有する酸性溶液としては、例えば、フッ酸水溶液、フッ酸と塩酸の混合溶液、フッ酸と硫酸の混合溶液、フッ化アンモニウム含有水溶液などが挙げられる。
そして、残ったレジストパターンを剥離し、ガラス基板１１を洗浄する（図９のステップＳ４参照）。
【００６６】
またレジストを使用したウェットエッチングによる形状加工では、第２主表面１１ｂと凹部１２の側面部１２ａとの境界に対し丸みを付けた形状の介在面１２ｃを形成してもよい。ここで、上記凹部１２の底面部１２ｂと、壁面である側面部１２ａとの境の曲率半径は、１０μｍ以上であるのが好ましい。
【００６７】
介在面１２ｃを、丸みを付けた形状にするためには、ガラス基板１１の主表面に、この主表面側が最も重合度が小さくなるようにガラス基板１１の板厚方向に重合度勾配を有するレジストパターンを形成し、このレジストパターンをマスクとして上記のウェットエッチングを行う。カバーガラスの主表面側のレジストの重合度が小さいほどガラスとレジストとの密着力が小さくなる。
【００６８】
ここで、レジストパターンが、ガラス基板１１の板厚方向に重合度勾配を有するようにするためには、例えばレジスト厚、露光量、ポストベーク条件などをコントロールすればよい。これらの条件のコントロールは、使用するレジストの種類や露光光のエネルギーにより適宜変更して行う。このようにガラスとレジストとの間の密着力をコントロールすることにより、レジストとガラス（主表面）との間の界面にエッチング液が浸み込み易くなり、結果的に、上記介在面１２ｃが丸みを付けた形状に形成される。このため、ガラス基板１１の凹部１２にタッチセンサ２０を嵌合する際にチッピング等が発生することを防止できる。
【００６９】
このようにして、ガラス基板１１の第２主表面１１ｂに凹部１２が形成される。エッチングを利用して凹部１２を形成した場合、微小な傷やマイクロクラック等が凹部１２の側面部１２ａや底面部１２ｂに発生するのを抑制できるため、カバーガラスの強度を損なうことなく、例えば化学強化処理によって得られるカバーガラスの高い強度を維持することができるので、好ましい。
【００７０】
なお、形状加工工程では、例えばスクライブ加工やレーザ加工等の機械加工によって、板状ガラスの切断あるいは凹部１２の形成を行ってもよい。ここで、スクライブとは、板状ガラスあるいはガラス基板１１の表面に、超鋼合金製あるいはダイヤモンドからなるスクライバにより所望の形状の切断線（線状のキズ）を設けることをいう。ガラス基板１１あるいは凹部１２を機械加工によって形成することにより、カバーガラス１０の製造効率を向上させることができる。この場合、ガラス基板１１の断面をみたときに、側面部１２ａに沿って伸びる線と底面部１２ｂに沿って伸びる線とのなす角は、８５度以上〜９０度以下でもよい。この角度は９０度を超えないことが望ましい。
【００７１】
また、形状加工工程では、第２主表面１１ｂと凹部１２の側面部１２ａとの境界に対してチャンファリング加工を施すことにより、介在面１２ｃを形成してもよい。チャンファリング加工は、ダイヤモンド砥石を用いて面取りを施す形状加工である。介在面１２ｃを平面状に形成する場合、面取り角度は、第２主表面１１ｂに対して例えば１０〜４０度である。このため、ガラス基板１１の凹部１２にタッチセンサ２０を嵌合する際に、チッピング等が発生することを防止できる。
【００７２】
（３−３）化学強化工程
次に、形状加工工程によって得られたガラス基板１１に対して化学強化工程を行う。
化学強化工程では、ガラス基板１１を複数枚、カセット（ホルダー）に装填し、溶融塩を含む化学強化処理液にカセットを浸漬させる。これにより、ガラス基板１１に含まれる１種以上のアルカリ金属を、溶融塩のアルカリ金属との間でイオン交換処理を行い、ガラス基板１１の表層部分に圧縮応力層を形成する。
【００７３】
溶融塩の組成および温度、ならびに、浸漬時間は、ガラス基板１１のガラス組成や、ガラス基板１１の表層部分に形成する圧縮応力層の厚み等に応じて適宜選択できるが、ガラス基板１１のガラス組成が上述したアルミノシリケートガラスであれば、化学強化処理液の処理温度を通常３００℃以上５００℃以下とする低温型イオン交換法を利用することが好ましい。これは、イオン交換をガラスの徐冷点以上の温度域で行う高温型イオン交換法では、低温型イオン交換法ほど大きな強度が得られず、また、強化処理中に溶融塩によってガラス表面が浸食され透明性が損なわれやすいため、カバーガラス１０に適したガラス基板１１が得られにくいことによる。例えば、本実施形態の化学強化工程では、溶融塩の組成および温度、ならびに、浸漬時間は、下記に例示する範囲から選択することが好ましい。
・溶融塩の組成  ：硝酸カリウム（ＫＮＯ３）の単塩、硝酸ナトリウム（ＮａＮＯ３）の単塩、または、硝酸カリウムと硝酸ナトリウムを任意の重量比で混合した混合塩
・溶融塩の温度  ：３５０℃〜４５０℃
・浸漬時間  ：１時間〜８時間
【００７４】
この化学強化工程によって各主表面１１ａ，１１ｂのそれぞれに形成される圧縮応力層の厚さは、４０〜８０μｍである。本実施形態では、ガラス基板１１のガラス組成がアルミノシリケートガラスであるため、例えばガラス基板１１と同じ板厚のソーダライム系フロートガラスと比較した場合に、形成される圧縮応力層の厚さを大きくすることができる。
なお、化学強化工程によって得られたガラス基板１１の機械的強度は、３点抗折強度（３点曲げ強さ）で５０００ｋｇｆ／ｃｍ２以上が好ましく、さらに好ましくは、７０００ｋｇｆ／ｃｍ２以上、最も好ましくは、１００００ｋｇｆ／ｃｍ２以上である。
【００７５】
（３−４）印刷工程
次に、化学強化されたガラス基板１１に対して、第２主表面１１ｂから凹部１２の底面部１２ｂの周縁部に亘る遮蔽部１３を形成するための印刷工程を行う。印刷方法は、印刷層を構成する塗料、印刷層の各層の厚さに応じて、例えばスクリーン印刷等の公知の様々な手法を利用することができる。ここで、塗料としては、例えば、カーボンを顔料に用いた各種インク等を用いることができる。
このようにして、本実施形態のカバーガラス１０が得られる。
【００７６】
以上説明したように、本実施形態のカバーガラス１０によれば、化学強化処理によって形成された圧縮応力層を有することから、機械的強度が向上する。なお、本実施形態のカバーガラス１０では、ガラス基板１１のうち凹部１２が設けられた部分の厚さが小さくなっているが、タッチセンサ２０を凹部１２に組み込むことにより、カバーガラス１０の機械的強度を補うことができる。
【００７７】
また、本実施形態のカバーガラス１０によれば、タッチセンサ２０と嵌合するための凹部１２が第２主表面１１ｂに形成されている。これにより、モジュール３０の厚さが増大するのを抑制することができるので、携帯機器の薄型化を図ることができる。
【００７８】
さらに、本実施形態のカバーガラス１０によれば、タッチセンサ２０が凹部１２に嵌合することにより、タッチセンサ２０のうちガラス基板１１の第２主表面１１ｂから外部に突出する部分の外周に形成される空隙Ｓのサイズを小さくすることができる。これにより、モジュール３０を携帯機器の表示装置と組み合わせる場合に構造設計を容易にすることができる。
【００７９】
また、センサ用ガラス基板２１の外周に形成される空隙のサイズを小さくできることにより、空隙を埋めるための接着剤等をセンサ用ガラス基板２１の外周に設ける必要をほぼなくすことができる。これにより、部品点数及び製造工程の増加を抑制することができるので、モジュール３０の製造コストを低減することができ、ひいては携帯機器の製造コストを低減することができる。
【００８０】
なお、本実施形態のカバーガラス１０によれば、タッチセンサ２０をガラス基板１１の凹部１２に組み込むように構成されているため、タッチセンサを液晶パネルに組み込む周知の構成（例えば、タッチセンサを液晶の画素の中に構成するインセル構成や、タッチセンサをカラーフィルタ基板と偏光板との間に構成するオンセル構成等）と比較して、タッチセンサ２０によって検出可能な領域のサイズを自由に形成することができるという利点がある。この利点につき、図１０Ａ及び図１０Ｂを参照して説明する。
図１０Ａは本実施形態のモジュールを含む表示装置の概略構成を説明する図であり、図１０Ｂは周知技術のモジュールを含む表示装置の概略構成を説明する図である。
【００８１】
例えば、図１０Ａに示すように、本実施形態のカバーガラス１０を用いた場合には、タッチセンサ２０と嵌合するように凹部１２を形成することにより、タッチセンサ２０と液晶パネル４０とを分離することができる。このため、タッチセンサ２０によって検出可能な領域Ｒ１のサイズを、表示画面の表示領域Ｒ２のサイズと独立して形成することができる。ここで、領域Ｒ１は、ガラス基板１１のうち透明導電膜２２と重なる部分の領域に対応し、表示領域Ｒ２は、ガラス基板１１のうち液晶パネル４０と重なる部分から遮蔽部１３を除いた部分の領域に対応する。
【００８２】
これにより、本実施形態では、例えば、領域Ｒ１のサイズを表示領域Ｒ２のサイズよりも大きく形成する等のように、タッチセンサ２０の設計自由度を向上させることができる。したがって、領域Ｒ１及び表示領域Ｒ２のサイズがそれぞれ異なる複数の携帯機器に対して本実施形態のモジュール３０を適用することができるので、モジュール３０の汎用性を向上させることができる。
【００８３】
一方、図１０Ｂに示すように、タッチセンサを液晶パネル４０に組み込む周知の構成とした場合には、領域Ｒ１のサイズは、表示領域Ｒ２のサイズと同じ大きさになるように形成される。この場合、本実施形態のモジュール３０と比較して、タッチセンサの設計自由度を向上させることができない。したがって、タッチセンサを液晶パネル４０に組み込む構成とした場合には、領域Ｒ１及び表示領域Ｒ２のサイズがそれぞれ異なる複数の携帯機器に対してモジュールを適用することができないので、モジュールの汎用性を向上させることができない。
【００８４】
以上、本発明の実施形態について詳細に説明したが、本発明の携帯機器用カバーガラス及びその製造方法、並びに携帯機器用タッチセンサモジュールは上記実施形態に限定されず、本発明の主旨を逸脱しない範囲において、種々の改良や変更をしてもよいのは勿論である。
【００８５】
特に、本発明の実施形態では、透明導電膜については、その膜厚や抵抗値等を適宜変更することにより、例えば電磁波シールド膜等のように、携帯機器用カバーガラスの電気的特性を変化させる機能膜として用いることができる。
【００８６】
また、上述の実施の形態の構成の変形例として、液晶モジュールや有機ＥＬモジュールなどの表示モジュールの少なくとも一部がセンサ基材とともにガラス基板１１のフレーム部１１ｃ内に嵌り込む構成であってもよい。即ち、ガラス基板１１のフレーム部１１ｃ内にセンサ基材とともに表示モジュールの少なくとも一部が嵌り込めるように、フレーム部１１ｃの突出高さを定めてもよい。例えば主表面１２ｂに対するフレーム部１１ｃの突出高さが２〜２０ｍｍに設定しても良い。
【００８７】
さらに、本発明は、電子機器の筐体背面用のカバーガラスとしても用いることができる。この場合、内部構成部品、例えばカメラモジュールの少なくとも一部（レンズ部分）や、プリント配線基板の少なくとも一部（ＩＣ等の突出部分）が嵌め込み可能となるように、フレーム部１１ｃの形状を定めてよい。つまり、フレーム部１１ｃの形状としては、平面視四角形状に限定するものではなく、平面視円状などであってもよい。また、フレーム部１１ｃの内部空間の面積も、嵌め込み対象物に応じて定めることができる。
【００８８】
また、上述の実施の形態では、フレーム部１１ｃの形状が平面視四角形状であり、図２に示したように、ガラス基板１１の四辺それぞれを繋ぐような構成であった。しかしながら、フレーム部１１ｃの構成は、この例に限定されるものではなく、ガラス基板１１の四辺のうち、互いに平行な２辺のみに配置された構成であってもよい。さらに、フレーム部１１ｃの構成として、ガラス基板１１とは別の部材のスペーサを用いてもよい。
【００８９】
さらに、上述の実施の形態では、凹部１２あるいはフレーム部１１ｃを形成する方法として、エッチング加工又は機械加工の例を説明した。しかしながら、国際公開２０１２／１３２２９３に示すような（ダイレクト）プレス法の金型の転写面形状を適宜設定することにより、ガラス基板の外形とともに凹部１２あるいはフレーム部１１ｃを形成することもできる。この場合、複雑形状のガラス基板を容易に製造することができ、製造効率を向上させることができる。これに加えて、ガラス基板を厚さ方向に曲げることもでき、電子機器のデザイン性を向上させることができる。
【符号の説明】
【００９０】
１０…携帯機器用カバーガラス
１１…ガラス基板
１１ａ…第１の主表面
１１ｂ…第２の主表面
１２…凹部
１２ａ…側面部
１２ｂ…底面部
１２ｃ…介在面
１３…遮蔽部
１３ａ…遮蔽部表面
１４…接着剤
１５…フィルム
２０…タッチセンサ
２１…タッチセンサ用ガラス基板
２２…透明導電膜
３０…携帯機器用タッチセンサモジュール
【図１】
0005878562.tif 000002
【図２】
0005878562.tif 000003
【図３】
0005878562.tif 000004
【図４Ａ】
0005878562.tif 000005
【図４Ｂ】
0005878562.tif 000006
【図４Ｃ】
0005878562.tif 000007
【図５Ａ】
0005878562.tif 000008
【図５Ｂ】
0005878562.tif 000009
【図６Ａ】
0005878562.tif 000010
【図６Ｂ】
0005878562.tif 000011
【図７】
0005878562.tif 000012
【図８】
0005878562.tif 000013
【図９】
0005878562.tif 000014
【図１０Ａ】
0005878562.tif 000015
【図１０Ｂ】
0005878562.tif 000016